(57)【要約】【課題】単純な形状でありながら、水滴がケーブルを伝わるのを防止することができ、かつケーブルを伝わる水滴を所望の滴下位置にガイドすることができる防滴ガイド部材を有する消火栓装置を得る。【解決手段】本発明に係る消火栓装置１は、消火栓弁５の開閉を行う弁開閉機構７と、消火栓弁５の開閉操作を行う操作レバー９と、操作レバー９と弁開閉機構７とを連結して操作レバー９の操作を弁開閉機構７に伝達するケーブル１１とを備えたものであって、アウターケーブル１１ｂを伝わる水滴がさらに下方に伝わるのを防止して所望の位置に滴下させる滴下ガイド部材１３を有し、滴下ガイド部材１３は、アウターケーブル１１ｂに挿通可能な挿通孔１３ａを有し、伸縮可能な材料によって形成された板状の部材からなり、アウターケーブル１１ｂが挿通された状態で回転可能であり、挿通孔１３ａが形成された部分から先端に向かって幅が狭くなる先細の形状である。【選択図】  図１
2018029629.tif 000002
【特許請求の範囲】
【請求項１】
消火栓箱の外に設けた消火栓弁と、該消火栓弁の開閉を行う弁開閉機構と、前記消火栓箱に設けられて前記消火栓弁の開閉操作を行う操作レバーと、該操作レバーと前記弁開閉機構とを連結して前記操作レバーの操作を前記弁開閉機構に伝達するケーブルとを備えた消火栓装置であって、
前記ケーブルはアウターケーブル内にインナーケーブルを挿通してなり、
前記アウターケーブルに装着可能に設けられて、該アウターケーブルを伝わる水滴がさらに下方に伝わるのを防止して所望の位置に滴下させる滴下ガイド部材を有し、
該滴下ガイド部材は、前記アウターケーブルに挿通可能な挿通孔を有し、伸縮可能な材料によって形成された板状の部材からなり、前記アウターケーブルが挿通された状態で回転可能であり、前記挿通孔が形成された部分から先端に向かって幅が狭くなる先細の形状であることを特徴とする消火栓装置。
【請求項２】
前記滴下ガイド部材は、前記挿通孔が形成された部分が肉厚であり、該肉厚の部位から先端に向かって厚みが薄くなるように形成されていることを特徴とする請求項１記載の消火栓装置。
【発明の詳細な説明】
【技術分野】
【０００１】
本発明は、トンネル等に設置される消火栓装置に関する。
【背景技術】
【０００２】
トンネル等に設置される消火栓装置は、例えば特許文献１にも記載されているように、トンネルの側壁凹部に設置された消火栓箱（筐体）に放水設備が収納され、トンネル内に形成された側溝内に敷設された配水本管から分岐管を介して消火用水が接続配管、消火栓弁および供給配管を経て、放水設備のホースに供給されるようになっている。
【０００３】
そして、消火栓弁は、消火栓箱から離れた、配水本管が敷設されている側溝内に設置されており、直接の操作が困難となるので、消火栓箱の近くで開閉操作するための遠隔開閉手段が設けられている。
この遠隔開閉手段は、例えば消火栓箱に設けられた操作レバーと、操作レバーと消火栓弁とを連結するケーブルと、ケーブルの動きによって消火栓弁を開閉する弁開閉機構とを備えて構成されている。
【０００４】
ところで、トンネル内には、山の地中を通過した雨水等が消火栓箱の外面あるいは内側へと伝わり、さらに上記遠隔開閉手段を構成するケーブルを伝わって消火栓弁の弁開閉機構にまで至ることがある。
山の水は、ミネラル分が多く、水滴を放置すると、ミネラル分が析出して固化し、弁開閉機構の操作ができなくなる可能性がある。
【０００５】
このような事態を防止するために、特許文献１においては、ケーブルに防滴カバーを設けることが開示されている。
特許文献１に開示された防滴カバーは、先端に細管部を有し全体が円錐筒形状（漏斗形状）をしており、細管部にケーブルに挿通するようにして、ケーブルに取り付けられるというものである。
【先行技術文献】
【特許文献】
【０００６】
【特許文献１】特開２０１４−２２６３５１号公報
【発明の概要】
【発明が解決しようとする課題】
【０００７】
上述したように、山を通過した水にはミネラル分が多量に含まれており、時間の経過とともにミネラル分が析出する。そのため、ケーブルを伝わる水をそれ以上下方に伝わらないようにしたとしても、その水をどこに滴下させるのかという問題がある。
つまり、水滴には多量のミネラル分が含まれており、滴下場所が同じ場所であれば、滴下した場所でミネラル分が析出するため、少なくとも、機器類にはかからないようにしたい。好ましくは、滴下場所を決めて、水滴を受ける器具を置いてそこに滴下させるのが好ましい。
【０００８】
この点、特許文献１に開示された防滴カバーは、円錐筒形状であるため、防滴カバーをケーブルの軸回りに回転させても同じ形状であり、防滴カバーを伝わって滴下する水滴の位置を制御できない。
また、水滴の滴下場所を制御するという観点から、防滴カバーをケーブルに沿って自在に移動できることが好ましいが、特許文献１の防滴カバーは、ケーブルに挿通する部分が漏斗の細管の部分に相当する部位であり、円錐筒形状側、すなわちケーブルの下方に向けての移動は比較的スムーズにできると思われるが、反対方向への移動に関しては、突っかかって移動がスムーズにできないという問題もある。
【０００９】
本発明はかかる課題を解決するためになされたものであり、単純な形状でありながら、水滴がケーブルを伝わるのを確実に防止することができ、かつケーブルを伝わる水滴を所望の滴下位置にガイドすることができる防滴ガイド部材を有する消火栓装置を得ることを目的としている。
【課題を解決するための手段】
【００１０】
（１）本発明に係る消火栓装置は、消火栓箱の外に設けた消火栓弁と、該消火栓弁の開閉を行う弁開閉機構と、前記消火栓箱に設けられて前記消火栓弁の開閉操作を行う操作レバーと、該操作レバーと前記弁開閉機構とを連結して前記操作レバーの操作を前記弁開閉機構に伝達するケーブルとを備えた消火栓装置であって、前記ケーブルはアウターケーブル内にインナーケーブルを挿通してなり、前記アウターケーブルに装着可能に設けられて、該アウターケーブルを伝わる水滴がさらに下方に伝わるのを防止して所望の位置に滴下させる滴下ガイド部材を有し、該滴下ガイド部材は、前記アウターケーブルに挿通可能な挿通孔を有し、伸縮可能な材料によって形成された板状の部材からなり、前記アウターケーブルが挿通された状態で回転可能であり、前記挿通孔が形成された部分から先端に向かって幅が狭くなる先細の形状であることを特徴とするものである。
【００１１】
（２）また、上記（１）に記載のものにおいて、前記滴下ガイド部材は、前記挿通孔が形成された部分が肉厚であり、該肉厚の部位から先端に向かって厚みが薄くなるように形成されていることを特徴とするものである。
【発明の効果】
【００１２】
本発明に係る消火栓装置は、前記アウターケーブルに装着可能に設けられて、該アウターケーブルを伝わる水滴がさらに下方に伝わるのを防止して所望の位置に滴下させる滴下ガイド部材を有し、該滴下ガイド部材は、前記アウターケーブルに挿通可能な挿通孔を有し、伸縮可能な材料によって形成された板状の部材からなり、前記アウターケーブルが挿通された状態で回転可能であり、前記挿通孔が形成された部分から先端に向かって幅が狭くなる先細の形状であることにより、アウターケーブルを伝わる水を確実に遮断できることにより析出したミネラル分による害を防止でき、また当該水を所望のポイントに滴下させることができるので、水滴を滴下させたくない場所を確実に避けることが可能になりミネラル分の析出による害を確実に防止できる。
【図面の簡単な説明】
【００１３】
【図１】本発明の実施の形態１に係る消火栓装置のトンネル内に設置した設置状態の側面図である。
【図２】図１に示した消火栓装置の消火栓箱の内部の構造を説明する説明図である。
【図３】図１に示した消火栓装置における一部を拡大して示す拡大図である。
【図４】図３に示した消火栓装置における消火栓弁を開閉する弁開閉機構の拡大図である。
【図５】図１に示した消火栓装置に設置される滴下ガイド部材の拡大図である。
【発明を実施するための形態】
【００１４】
本実施の形態に係る消火栓装置１は、図１、図２に示すように、消火栓箱３の外に設けた消火栓弁５と、消火栓弁５の開閉を行う弁開閉機構７と、消火栓箱３に設けられて消火栓弁５の開閉操作を行う操作レバー９と、操作レバー９と弁開閉機構７との間に連結して操作レバー９の操作を弁開閉機構７に伝達するケーブル１１と、ケーブル１１を伝わる水滴がさらに下方に伝わるのを防止して所望の位置に滴下させる滴下ガイド部材１３を備えたものである。
なお、図１は、消火栓装置１をトンネル壁面１５に箱抜きにより形成した凹部１５ａに設置し、監視員通路１６の下方空間に配設されている給水本管１７から給水するようにした状態を示している。
以下各構成を詳細に説明する。
【００１５】
＜消火栓箱＞
消火栓箱３は、図１、図２に示すように、矩形の箱状からなり、消火栓箱３内には内巻きに巻き回されたホース１９を収納するホース収納部２１が設けられている。
また、消火栓箱３内には、ホース収納部２１の右側に、メンテナンス弁を有する配管系統２４が設けられている。配管系統２４は、先端側がホース１９の基端側と接続されるとともに、基端側が図１に示す消火栓弁５に接続されている。消火栓弁５は分岐管２５を介して給水本管１７に接続されている。
【００１６】
また、図２に示すように、消火栓箱３の図中左側には、消火器を収納するための消火器収納部２７が設けられている。
消火栓箱３の前面には前面パネル２９が設けられ、ホース収納部２１の前方に位置する部位が開口しており、この開口部２９ａを開閉可能に前傾式扉３１が取り付けられ、また前面パネル２９の左側には消火器扉３３が開閉可能に設けられている。
【００１７】
前傾式扉３１は板状の金属板から構成された横長の矩形状をしており、上述のように前面パネル２９の開口部２９ａを開閉可能に取り付けられている。
前傾式扉３１は、閉鎖状態において下辺（以下、この部分を前傾式扉３１の下辺と呼ぶ）両端付近に回動軸（蝶番３５）が設けられ、開口部２９ａを閉鎖状態から、図２に示すように、略１８０°開くことができる。
【００１８】
前傾式扉３１の内面側には、消火ノズル３７を着脱可能に固定するノズル固定部３９及び、ホース１９に消火水を供給する配管系統２４に設けられた消火栓弁５を開閉操作する操作レバー９が設けられている。
操作レバー９と消火栓弁５との間は、ケーブル１１を介して連結されている（図２参照）。
【００１９】
一端側が操作レバー９に連結されたケーブル１１は、図２に示すように、前傾式扉３１の下辺の両端部に設けられた蝶番３５の間に設けられたケーブル収納筒４１に収納されて、消火栓箱３の内部へと引き回される。
ケーブル１１をケーブル収納筒４１に収納することで、消火活動時におけるケーブル１１とホース１９との干渉を防止して、ケーブル１１が損傷することを防ぐことができる。
なお、本発明の主たる目的は、前述したように滴下ガイド部材１３を設けることで水滴に起因するケーブル１１に発生する不具合を防止することであるが、ケーブル収納筒４１も消火活動時におけるホース１９によるケーブル１１に発生する不具合を防止するという点では共通した目的に資するものである。
【００２０】
＜消火栓弁＞
消火栓弁５は、給水本管１７から分岐する分岐管２５に設けられて、分岐管２５から消火栓箱３に繋がる配管系統２４への給水を制御するものである。
【００２１】
＜弁開閉機構＞
弁開閉機構７は、消火栓弁５の開閉をするものであり、図３、図４に示すように、後述するケーブル１１のインナーケーブル１１ａが連結されて、インナーケーブル１１ａの動きに連動して回転するプーリ４３を有し、プーリ４３の回転軸が消火栓弁５の弁軸に連結されている。
【００２２】
＜ケーブル＞
ケーブル１１は鋼線からなるインナーケーブル１１ａと、インナーケーブル１１ａの外周を覆う樹脂製のアウターケーブル１１ｂを備えている。操作レバー９から弁開閉機構７に至る経路のほとんどの部位では、アウターケーブル１１ｂが存在するが、操作レバー９との接続部や、弁開閉機構７との接続部では、インナーケーブル１１ａがむき出しになる（図４参照）。
【００２３】
図４に示すように、プーリ４３との連結部では、インナーケーブル１１ａがアウターケーブル１１ｂからむき出しの状態でプーリ４３に接続されている。
アウターケーブル１１ｂを伝わった水滴は、アウターケーブル１１ｂからインナーケーブル１１ａが露出した部位へと伝わる。
操作レバー９は動作されない期間が長く、その状態でインナーケーブル１１ａが露出した部位すなわちアウターケーブル１１ｂとインナーケーブル１１ａとの境界部に、水滴が溜まり、析出したミネラル分によって、インナーケーブル１１ａとアウターケーブル１１ｂとの境界部が固化すると、インナーケーブル１１ａがアウターケーブル１１ｂに固着した状態になり、操作できなくなる。
本願発明はこのような状況に至るのを防止するものである。
【００２４】
＜滴下ガイド部材＞
滴下ガイド部材１３は、アウターケーブル１１ｂに装着されて、アウターケーブル１１ｂを伝わる水滴がさらに下方に伝わるのを防止して所望の位置に滴下させるものである。
滴下ガイド部材１３は、図３、図５に示すように、アウターケーブル１１ｂに挿通可能な挿通孔１３ａを有している。挿通孔１３ａの孔径は、ケーブル１１（アウターケーブル１１ｂ）の外径以下となっている。そうすることで後述するとおり、滴下ガイド部材１３は、ケーブル１１に装着した際に、水密状態を維持しつつ、容易に所望の位置、向きを保持することができる。
滴下ガイド部材１３は、伸縮可能なゴム等の材料によって形成されており、アウターケーブル１１ｂが挿通された状態では、アウターケーブル１１ｂの周面と水密状態で装着されるが、アウターケーブル１１ｂに対して回転可能になっている。また、伸縮可能な材料であるため、アウターケーブル１１ｂに対して所望の位置に回転させるとその角度を維持することができる。
【００２５】
滴下ガイド部材１３は、図５に示すように、板状で、挿通孔１３ａが形成された部分から先端に向かって幅が狭くなる先細の形状である。
また、滴下ガイド部材１３は、挿通孔１３ａが形成された部分が肉厚であり（図３参照）、該肉厚の部位から先端に向かって厚みが薄くなるように形成されている。挿通孔１３ａが形成された部分を肉厚にすることで、水密性を向上してアウターケーブル１１ｂを伝わる水を確実に遮断できる。さらに、肉厚であることで、滴下ガイド部材１３をアウターケーブル１１ｂに沿って移動する際の移動をスムーズできるという効果もある。
【００２６】
以上のように構成された本実施の形態の消火栓装置１について、とくに滴下ガイド部材１３の作用効果を中心に説明する。
トンネル内に消火栓箱３が設置され、ケーブル１１によって操作レバー９と弁開閉機構７が連結されている。上述したように、トンネル内には雨水が山の内部を通過して消火栓箱３に至り、その一部はケーブル１１を伝わって弁開閉機構７側へと移動する。
しかし、滴下ガイド部材１３に到達すると水は、滴下ガイド部材１３に沿って移動して、先細の先端から下方に向かって滴下する。
【００２７】
滴下ガイド部材１３は、アウターケーブル１１ｂの軸回りで回転可能になっており、先端の位置をアウターケーブル１１ｂの軸回りで３６０°の所望の位置に設定できる。そして、アウターケーブル１１ｂを伝わった水を、滴下ガイド部材１３の先端に向けてガイドできるので、アウターケーブル１１ｂの軸回りの所望の位置に滴下させることができる。
よって、滴下ガイド部材１３を設けることで、水を滴下させる位置を制御でき、滴下させたい位置に例えば水滴を集めるような部材を置くことでミネラル分析出による害を確実に防止することができる。
【００２８】
また、前述したように、本実施の形態の滴下ガイド部材１３は、アウターケーブル１１ｂが挿通される挿通孔１３ａの部位を肉厚にしており、水密を確保できると共に軸方向のいずれの向きへの移動をもスムーズになっている。
【００２９】
以上のように、本実施の形態によれば、ケーブル１１を伝わる水滴を遮断して弁開閉機構７側に伝わるのを確実に防止でき、析出したミネラル分による害を防止できると共に、遮断した水の滴下させる位置を所望の位置に制御できるので、水滴による害を確実に防止できる。
【００３０】
なお、上記の実施の形態では滴下ガイド部材１３の形状として、平面視において半円に三角形を組み合わせたような形状のものを例示したが、本発明の滴下ガイド部材１３の形状はこれに限定されるものではなく、挿通孔１３ａを有し、伸縮可能な材料によって形成された板状の部材からなり、挿通孔１３ａが形成された部分から先端に向かって幅が狭くなる先細の形状であれば、種々の形状を含み、例えば先端の先細部分が下方に向けて屈曲するようなものであってもよい。先端を下方に向けて屈曲させることで、より確実に滴下位置を制御できる。
【符号の説明】
【００３１】
１  消火栓装置
３  消火栓箱
５  消火栓弁
７  弁開閉機構
９  操作レバー
１１  ケーブル
１１ａ  インナーケーブル
１１ｂ  アウターケーブル
１３  滴下ガイド部材
１３ａ  挿通孔
１５  トンネル壁面
１５ａ  凹部
１６  監視員通路
１７  給水本管
１９  ホース
２１  ホース収納部
２４  配管系統
２５  分岐管
２７  消火器収納部
２９  前面パネル
２９ａ  開口部
３１  前傾式扉
３３  消火器扉
３５  蝶番
３７  消火ノズル
３９  ノズル固定部
４１  ケーブル収納筒
４３  プーリ
【図１】
2018029629.tif 000003
【図２】
2018029629.tif 000004
【図３】
2018029629.tif 000005
【図４】
2018029629.tif 000006
【図５】
2018029629.tif 000007